(57)【要約】【課題】複数の対物レンズの切換えをコンパクトで且つ単純な構造で実現し、それにより装置形状が制限されることなく複数種類のメディアに対応可能な光ディスク装置を提供する。【解決手段】情報の記録又は再生のためにレーザ光を導き光ディスクの記録面に集光させる光学系が設けられたピックアップ機構３と、ピックアップ機構３を光ディスクの半径方向へ移動可能とするトラック移動手段とを備えた光ディスク装置において、ピックアップ機構３に、作動距離の異なる複数の対物レンズ１０Ａ，１０Ｂと対物レンズの位置補正を行う複数のレンズ駆動手段１１Ａ，１１Ｂとを保持される保持ベース３Ａと、この保持ベース３Ａを平行移動させるスライド機構３２，３７，３７とを設け、さらに、作動距離の長い対物レンズ１０Ａがピックアップ位置へ配置される場合に、レンズ駆動手段１１Ｂを作動させて作動距離の短い対物レンズ１０Ｂの位置を下げるようにした。【選択図】        図４
2004318973.tif 000002
【特許請求の範囲】
【請求項１】
情報の記録又は再生のためにレーザ光を所定の経路に沿って導く光学系および該レーザ光を光ディスクの記録面に集光させる対物レンズが設けられたピックアップ機構と、該ピックアップ機構を光ディスクの半径方向へ移動させるトラック移動手段と、各駆動部の制御を行う制御手段とを備えた光ディスク装置において、
上記ピックアップ機構には、互いに作動距離が異なり各々の作動距離に対応させて光ディスクのディスク面との距離を異ならせて配置される２個の対物レンズと、これらの対物レンズの位置補正をそれぞれ行う２組のレンズ駆動手段と、上記２個の対物レンズと２組のレンズ駆動手段とを保持する保持ベースと、光ディスクのディスク面と平行に上記保持ベースを平行移動させて上記複数の対物レンズをレーザ光が出射されるピックアップ位置へそれぞれ配置切換え可能とするスライド機構とが設けられ、
上記制御手段は、複数の対物レンズのうち作動距離の長い対物レンズが上記ピックアップ位置へ配置されている場合に、少なくとも情報の記録又は再生時に、作動距離の短い対物レンズを光ディスクから遠ざけるように上記レンズ駆動手段を制御するように構成されているとともに、
上記ピックアップ機構とは別体に上記スライド機構を駆動するスライド駆動手段が設けられ、
上記トラック移動手段により上記ピックアップ機構が所定位置に移動されたときに上記スライド駆動手段と上記スライド機構とが係合して当該スライド駆動手段により上記保持ベースがスライド駆動可能となるように構成されていることを特徴とする光ディスク装置。
【請求項２】
情報の記録又は再生のためにレーザ光を導く光学系および該レーザ光を光ディスクの記録面に集光させる対物レンズが設けられたピックアップ機構と、該ピックアップ機構を光ディスクの半径方向へ移動可能とするトラック移動手段と、各駆動部の制御を行う制御手段とを備えた光ディスク装置において、
上記ピックアップ機構には、作動距離の異なる複数の対物レンズと、当該複数の対物レンズの位置補正をそれぞれ行う複数のレンズ駆動手段と、これら複数の対物レンズと複数のレンズ駆動手段とを保持する保持ベースと、レーザ光が出射されるピックアップ位置へ上記複数の対物レンズをそれぞれ配置切換え可能なように上記保持ベースを平行移動させるスライド機構とが設けられ、
上記制御手段は、上記複数の対物レンズのうち作動距離の長い対物レンズが上記ピックアップ位置へ配置されている場合に、少なくとも情報の記録又は再生時に、作動距離の短い対物レンズを光ディスクから遠ざけるように上記レンズ駆動手段を制御するように構成されていることを特徴とする光ディスク装置。
【請求項３】
上記複数の対物レンズは、上記複数のレンズ駆動手段が動作していない状態で、各々の作動距離に対応させて光ディスクのディスク面との距離がそれぞれ異なるように配置されていることを特徴とする請求項２記載の光ディスク装置。
【請求項４】
上記スライド機構は、光ディスクのディスク面と平行に上記保持ベースを移動させる構成であることを特徴とする請求項２又は３に記載の光ディスク装置。
【請求項５】
上記ピックアップ機構に上記スライド機構を駆動するスライド駆動手段が設けられていることを特徴とする請求項２〜４の何れかに記載の光ディスク装置。
【請求項６】
上記ピックアップ機構とは別体に上記スライド機構を駆動するスライド駆動手段が設けられ、
上記トラック移動手段により上記ピックアップ機構が所定位置に移動されたときに上記スライド駆動手段と上記スライド機構とが係合して当該スライド駆動手段により上記保持ベースがスライド駆動可能となるように構成されていることを特徴とする請求項２〜４の何れかに記載の光ディスク装置。
【発明の詳細な説明】
【０００１】
【発明の属する技術分野】
この発明は、光ディスクに情報の記録又は再生を行う光ディスク装置に関し、さらには複数種類の光ディスクに対応可能な光ディスク装置に利用して特に有用な技術に関する。
【０００２】
【従来の技術】
現在、ＣＤ（コンパクトディスク）、ＤＶＤ（デジタル多用途ディスク）、青紫レーザを用いて大容量の記録と再生を可能とする光ディスクなど、複数種類の光ディスクのメディアが実用化されている。
これらの光ディスクに情報の記録又は再生を行う場合には、メディアの種類に応じた波長のレーザ光を用いる必要があり、さらに、ＣＤやＤＶＤでは開口数ＮＡ“０．６５”の対物レンズ、青紫レーザ用のメディアでは開口数ＮＡ“０．８５”の対物レンズと云うように、メディアの種類に応じた開口数の対物レンズを用いる必要がある。
【０００３】
そのため、１台の光ディスク装置を複数種類のメディアに対応させるには、装置内に出力波長の異なる複数の半導体レーザや開口数の異なる複数の対物レンズを搭載しておき、メディアに応じてそれらを切り換えて使用することが必要となる。複数の対物レンズを切り換えて使用することで複数のメディアに対応可能とする技術は、例えば特許文献１に開示されている。
【０００４】
また、複数の対物レンズを切り換える従来の構成としては、図６に示すように、レーザ光をピックアップ位置まで導く光学系やレーザ光を記録面に集光する対物レンズ８２Ａ，８２Ｂをそれぞれ有する２組のピックアップ機構８０Ａ，８０Ｂと、これら２組のピックアップ機構８０Ａ，８０Ｂを光ディスクＤ０の半径方向Ｈ１，Ｈ２へそれぞれ移動させる２組のトラック移動機構とを備えるものが提案されている。
【０００５】
【特許文献１】
特開平９−２７０１４１号公報
【０００６】
【発明が解決しようとする課題】
しかしながら、図６の切換え構造では、ピックアップ機構８０Ａ，８０Ｂを移動させるのに２つの経路を装置内に確保しなければならず、必要なスペースが増大するという課題がある。一般に、パーソナルコンピュータに搭載される光ディスク装置などは形状が規格化されているため、このような装置に図６の切換え構造を採用することはスペース確保の点から難しく、また、形状の規格化されていないディスク装置であっても小型化を図る上で図６の構造は不利である。
【０００７】
この発明の目的は、複数の対物レンズの切換えをコンパクトで且つ単純な構造で実現し、それにより、装置形状が制限されることなく複数種類のメディアに対応可能であり且つ低コストに製造することのできる光ディスク装置を提供することにある。
【０００８】
【課題を解決するための手段】
本発明は、上記目的を達成するため、情報の記録又は再生のためにレーザ光を導く光学系および該レーザ光を光ディスクの記録面に集光させる対物レンズが設けられたピックアップ機構と、該ピックアップ機構を光ディスクの半径方向へ移動可能とするトラック移動手段と、各駆動部の制御を行う制御手段とを備えた光ディスク装置において、上記ピックアップ機構には、作動距離の異なる複数の対物レンズと、当該複数の対物レンズの位置補正をそれぞれ行う複数のレンズ駆動手段と、これら複数の対物レンズと複数のレンズ駆動手段とを保持する保持ベースと、レーザ光が出射されるピックアップ位置へ上記複数の対物レンズをそれぞれ配置切換え可能なように上記保持ベースを平行移動させるスライド機構とが設けられ、上記制御手段は、上記複数の対物レンズのうち作動距離の長い対物レンズが上記ピックアップ位置へ配置されている場合に、少なくとも情報の記録又は再生時に、作動距離の短い対物レンズを光ディスクから遠ざけるように上記レンズ駆動手段を制御するように構成したものである。
【０００９】
このような手段によれば、対物レンズの切り換えを複数の対物レンズをスライド移動させると云った単純な構成で実現でき、且つ、ピックアップ機構をトラック方向へ移動する構成は１つで済むため余分なスペースをとられることもない。一方、このような単純な構成を採用すると、各対物レンズの作動距離の違いにより、作動距離の長い対物レンズを使用している際に作動距離の短い対物レンズが光ディスクに当接しかねないという問題を生じるが、本発明では、このような場合に位置補正用のレンズ駆動手段を動作させて作動距離の短い対物レンズを光ディスクから遠ざけてこのような問題を回避することが出来る。
【００１０】
具体的には、上記複数の対物レンズは、上記複数のレンズ駆動手段が動作していない状態で、各々の作動距離に対応させて光ディスクのディスク面との距離がそれぞれ異なるように配置すると良い。これにより、各対物レンズをその初期位置を最適な高さにして使用することができ、それにより対物レンズの位置補正を行うレンズ駆動手段にかかる負荷も少なくすることが出来る。
【００１１】
また、上記スライド機構は、光ディスクのディスク面と平行に上記保持ベースを移動させる構成にすると良い。これにより、保持ベースやそのスライド機構も単純な構成を採用することが出来る。
【００１２】
また、上記ピックアップ機構に上記スライド機構を駆動するスライド駆動手段を設けた構成としても良い。これにより、対物レンズの切り換えを素早く行うことが出来る。
【００１３】
また、上記ピックアップ機構とは別体に上記スライド機構を駆動するスライド駆動手段を設け、上記トラック移動手段により上記ピックアップ機構が所定位置に移動されたときに上記スライド駆動手段と上記スライド機構とが係合して当該スライド駆動手段により上記保持ベースがスライド駆動可能となるように構成しても良い。これにより、光ディスクに対してその半径方向へ移動されるピックアップ機構のコンパクト化を図ることが出来る。
【００１４】
【発明の実施の形態】
以下、本発明の実施の形態を図１〜図５の図面に基づいて説明する。
図１は、本発明の実施の形態の光ディスク装置における光ピックアップ機構とその周辺の構成の一例を示した斜視図、図２は、光ピックアップ機構の枠体と保持ベースとを分離させた状態を示す斜視図である。
【００１５】
この実施の形態の光ディスク装置は、例えば出力波長の異なる３個の半導体レーザ（図１では１個の半導体レーザ２０Ａの他は省略している）や、開口数の異なる２個の対物レンズ１０Ａ，１０Ｂを備え、これらの半導体レーザや対物レンズを切り換えて使用することで、ＣＤやＤＶＤに加えて青紫レーザを用いて大容量の情報の記録と再生を行う青紫レーザ用の光ディスクにも対応させた光ディスク装置である。
【００１６】
この光ディスク装置は、半導体レーザ２０Ａ…や対物レンズ１０Ａ，１０Ｂなど情報の記録又は再生のためにレーザ光を所定の経路に沿って導く光学系が搭載されたピックアップ機構３と、光ディスクの中央部分を固定して回転駆動するスピンドル２と、情報の記録又は再生の位置に合わせてピックアップ機構３を光ディスクの半径方向へ移動させるトラック移動手段としてのスクリューシャフト４，４および図示しない駆動モータと、対物レンズ１０Ａ，１０Ｂの切換え駆動を行うためのレンズ切換駆動部（スライド駆動手段）５と、光ディスクを装置から出し入れするトレイ機構等を備えている。
【００１７】
また、図示は省略するが、この光ディスク装置には、レーザ光の出力制御や対物レンズの微小な位置補正を行う光学系の駆動制御、記録データや再生データのデータ処理、光ディスクのトレイの出し入れ、スピンドル２の回転駆動制御、対物レンズを切り換える駆動制御、ピックアップ機構３のトラック方向への駆動制御など各駆動部の制御を行う制御回路（制御手段）が設けられている。
【００１８】
光ピックアップ機構３は、図１と図２に示すように、２個の対物レンズ１０Ａ，１０Ｂやこれら対物レンズ１０Ａ，１０Ｂの微小な位置補正をそれぞれ行う２組のレンズアクチュエータ（レンズ駆動手段）１１Ａ，１１Ｂ、これら対物レンズ１０Ａ，１０Ｂとレンズアクチュエータ１１Ａ，１１Ｂが保持される保持ベース３Ａ、この保持ベース３Ａがスライド移動可能な状態に固定される枠体３Ｂ、この枠体３Ｂに搭載される種々の光学系素子等から構成される。
【００１９】
上記の２個の対物レンズ１０Ａ，１０Ｂは、例えば、開口数が“ＮＡ０．６５”と“ＮＡ０．８５”、レンズ上面から焦点位置までの距離を表わす作動距離（Ｗｏｒｋｉｎｇ  Ｄｉｓｔａｎｃｅ）が“１．５ｍｍ”と“０．１ｍｍ”とそれぞれ異なるものである。
【００２０】
レンズアクチュエータ１１Ａは、複数のワイヤ１１２で微小変位可能な状態に固定されたレンズホルダ１１１に対物レンズ１０Ａを保持するとともに、このレンズホルダ１１１の側面に設けられたコイル（図示略）と対向配置された磁石１１３とにより発生される力、或いは、レンズホルダ１１１に設けられた図示しない磁石とそれに対向配置されたコイルにより発生される力によってレンズホルダ１１１を変位させて対物レンズ１０Ｂの微小な位置補正を行うものである。
【００２１】
このレンズアクチュエータ１１Ｂによる対物レンズ１０Ｂの駆動方向は、対物レンズ１０Ｂの光の焦点方向、光ディスクの半径方向と同一のトラッキング方向、光ディスクの半径方向の傾きに対応したチルト角方向の３軸方向である。これらの駆動方式としては種々の提案が従来なされており、種々の駆動方式をこのレンズアクチュエータに適用することが可能である。
もう一方のレンズアクチュエータ１１Ｂも同様の構成である。
【００２２】
枠体３Ｂに搭載される光学系素子には、半導体レーザ２０Ａ…、コリメータレンズ、集光レンズ、ビームスプリッタおよびレーザダイオード等がある。これらの素子は、詳細は省略するが、対物レンズ１０Ａ，１０Ｂの何れかが配置されるピックアップ位置までレーザ光を出力して導いたり、光ディスクの反射光を抽出して強度を検出したり、レーザ光の出力レベルを一定に保つ帰還制御のために出力光の一部を帰還させたり、対物レンズ１０Ａ，１０Ｂの３軸方向の位置補正を行うために入射光や反射光の一部を抽出したりするのに用いられるものである。
【００２３】
図２に示すように、ピックアップ機構３の枠体３Ｂには、対物レンズにレーザ光を出力する出射孔３１と、保持ベース３Ａをスライド移動させるためのスライドシャフト（スライド機構）３２，３２と、保持ベース３Ａの位置決めを行うストッパー３３と、スクリューシャフト４，４を受ける軸受け３５，３５とが設けられている。ストッパー３３は、例えば板バネ３３ａの一端に球状の係合突起３３ｂを固着し、板バネ３３ａの他端を枠体３Ｂにネジ３３ｃで止めたものである。
【００２４】
一方、保持ベース３Ａには、２個の対物レンズ１０Ａ，１０Ｂの下方位置に設けられたレーザ光を通す貫通孔３６Ａ，３６Ｂと、レンズ切換駆動部５（図１）のギヤ５ｂが噛合されるラック部３９とが設けられるとともに、保持ベース３Ａの下面には、上記スライドシャフト３２，３２を受ける軸受け（スライド機構）３７…と、上記ストッパー３３の係合突起３３ｂと係合する係合溝３８，３８とが設けられている。
【００２５】
上記のスライドシャフト３２，３２は、光ディスクのディスク面と平行に設置され、それにより保持ベースは上記ディスク面と平行にスライド移動されるようになっている。また、保持ベース３Ａの貫通孔３６Ａ，３６Ｂが枠体３Ｂの出射孔３１と重なる位置で、ストッパー３３の係合突起３３ｂと係合溝３８，３８とが係合するようになっている。
【００２６】
レンズ切換駆動部５は、例えば、駆動モータ５ａとギヤ５ｂ，５ｃとからなり、ピックアップ機構３がスクリューシャフト４，４に沿って光ディスクの最も外周の位置まで移動されたときに、保持ベース３Ａのラック部３９とギヤ５ｂとが噛合される位置に固定されている。
【００２７】
図３は、保持ベースに保持される対物レンズの配置関係を説明する正面図である。同図において、レンズホルダ１１１，１１１Ｂは対物レンズ１０Ａ，１０Ｂの光軸を含む断面が表わされ、対物レンズ１０Ａ，１０Ｂはそのままの正面形状が表わされている。また、同図においてレンズアクチュエータ１１Ａ，１１Ｂのワイヤ１１２や磁石１１３等は省略されている。
【００２８】
図３に示すように、２個のレンズホルダ１１１，１１１は、レンズアクチュエータ１１Ａ，１１Ｂが作動していない状態で、同じ高さになるように設置されている。レンズホルダ１１１には、その中央にレーザ光を通す貫通孔１１１ａや、その上部にはレンズ等を挿入するための挿入穴１１１ｂが設けられている。
【００２９】
作動距離の長い対物レンズ１０Ａは、例えば上記挿入穴１１１ｂに直接に挿入されて固着される一方、作動距離の短い対物レンズ１０Ｂは、サブレンズホルダ１１１Ｂを介して挿入穴１１１ｂに挿入されて固着されている。
【００３０】
それにより、各対物レンズ１０Ａ，１０Ｂは、各々の作動距離に合わせて、作動距離の長い対物レンズ１０Ａよりも作動距離の短い対物レンズ１０Ｂの方が光ディスクＤ０に近い高さに配置される。そして、それによりレンズアクチュエータ１１Ａ，１１Ｂは非作動の状態に近い状態を原点として位置補正処理を行うことが出来るため、作動時の負担が少なく最良の動作特性を導出されるようになっている。なお、対物レンズ１０Ａ，１０Ｂと光ディスクＤ０との距離は各々の作動距離と同値にする必要はなく、例えば、作動距離の短い対物レンズ１０Ｂは余裕をもたせて作動距離より少し離れた位置に配置するようにしても良い。
【００３１】
さらに、上記のようにサブレンズホルダ１１１Ｂを介して対物レンズ１０Ｂを保持させることで、２組のレンズアクチュエータ１１Ａ，１１Ｂを全く同じ構成にすることができ、それにより部品コストの低減を図れるようになっている。
【００３２】
図４は、ピックアップ機構が作動している状態を説明する正面図で、（ａ）は作動距離の短い対物レンズを使用している状態、（ｂ）は作動距離の長い対物レンズを使用している状態である。
【００３３】
この実施の形態の光ディスク装置によれば、青紫レーザ用の光ディスクＤ０がディスクトレイに挿入されてそれが検出されると、制御回路によりスクリューシャフト４，４が回転駆動されてピックアップ機構３が光ディスクの最外周位置にあるレンズ切換え用のホームポジションまで移動される。そして、この状態でレンズ切換駆動部５が駆動して保持ベース３Ａが平行移動し、図４（ａ）に示すように、作動距離の短い対物レンズ１０Ｂがレーザ光の出射される出射孔３１の位置に配置される。また、この状態でストッパー３３が作用して保持ベース３Ａの位置が固定される。
【００３４】
そして、このように対物レンズ１０Ｂの配置切換えが完了したら、制御回路の制御によりピックアップ機構３がスクリューシャフト４，４に沿ってトラック方向に移動して、光ディスクの所定のトラックに対して対物レンズ１０Ｂによりレーザ光が集光されて情報の記録又は再生が行われる。
【００３５】
一方、ディスクトレイにＣＤやＤＶＤの光ディスクＤ１が挿入されると、制御回路によりスクリューシャフト４，４が回転駆動されてピックアップ機構３が光ディスクの最外周位置のホームポジションまで移動される。そして、この状態でレンズ切換駆動部５が駆動して保持ベース３Ａが平行移動し、作動距離の長い対物レンズ１０Ａがレーザ光の出射される出射孔３１の位置に配置される。また、この状態でストッパー３３が作用して保持ベース３Ａの位置が固定される。
【００３６】
作動距離の長い対物レンズ１０Ａが出射孔３１に位置に配置された段階では、図３に示すように、作動距離の短い対物レンズ１０Ｂは光ディスクＤ１に近接した配置となる。光ディスクのディスク面は厳密な平面ではなく、半径方向に微小な傾斜を有していたり、波を打ったような面ぶれを有している。そして、この傾斜や面ぶれの大きさは対物レンズ１０Ｂの作動距離（例えば０．１ｍｍ）よりも大きくなることがある。対物レンズ１０Ｂを使用しているときであれば、これらの傾斜や面ブレに追従するようにレンズアクチュエータ１１Ｂが位置補正を行うので、対物レンズ１０Ｂがディスク面に触れてしまうことはないが、対物レンズ１０Ｂを使用していないときにはその位置補正も行われないので、そのままでは対物レンズ１０Ｂがディスク面に触れてしまう恐れが生じる。
【００３７】
そこで、この実施の形態の光ディスク装置によれば、図４（ｂ）に示すように、作動距離の長い対物レンズ１０Ａがピックアップ位置に配置切換えされた場合には、制御回路により作動距離の短い対物レンズ１０Ｂのレンズアクチュエータ１１Ｂが作動されて、対物レンズ１０Ｂが光ディスクのディスク面から遠ざかるように駆動される。
【００３８】
そして、この状態でピックアップ機構３がスクリューシャフト４，４に沿ってトラック方向に移動して、光ディスクの所定のトラックに対して対物レンズ１０Ａによりレーザ光が集光されて情報の記録又は再生が行われる。
【００３９】
以上のように、この実施の形態の光ディスク装置によれば、対物レンズ１０Ａ，１０Ｂの切換えを保持ベース３Ａをスライド移動させると云った単純な構成で実現することができるとともに、ピックアップ機構３をトラック方向へ移動する構成は１つで済むため、トラック移動機構を２系統設けたものに比べて必要なスペースを低減できるという効果がある。また、このような単純な構成とした場合に生じかねない、ディスク面と作動距離の短い対物レンズ１０Ｂとの接触問題はレンズアクチュエータ１１Ｂの駆動により回避することが出来る。
【００４０】
また、トラック方向へ移動されるピックアップ機構３と別体に保持ベース３Ａをスライド駆動するレンズ切換駆動部５が設けられ、ピックアップ機構３がレンズ切換え用のホームポジションに移動したときに保持ベース３Ａがスライド駆動可能となる構成なので、それによりピックアップ機構３をコンパクトに構成できている。
【００４１】
なお、本発明は、上記実施の形態に限られるものではなく、様々な変更が可能である。図５には保持ベース３Ａをスライド駆動させるその他の構成例を示す。例えば、同図に示すように、保持ベース３Ａをスライド駆動させる構成は、回転軸５３ｂを中心に回動自在に設けられたレバー５３と、レバー５３に設けられた突起部５３ｃをプランジャ５１ａにより押してレバー５３を回動駆動させるソレノイドアクチュエータ５１と、レバー５３による移動方向と逆向きの力を与えるバネ５４とにより構成することも出来る。
【００４２】
このような構成によれば、ソレノイドアクチュエータ５１が作動することでレバー５３が回動してその当接部５３ａが保持ベース３Ａの側面を押して右方に移動させ、ソレノイドアクチュエータ５１の駆動が停止することでバネ５４の力により保持ベース３Ａが左方に戻される。なお、このような構成を採用する場合には、これらレバー５３、ソレノイドアクチュエータ５１およびバネ５４をピックアップ機構３の枠体３Ｂに設けて、ピックアップ機構３とともにトラック方向に移動する構成とすると良い。
【００４３】
その他、スクリューシャフトを用いてその回転により保持ベース３Ａをスライド駆動させる構成など、保持ベース３Ａをスライド駆動する方式としては種々の方式を採用できる。また、保持ベース３Ａをスライド移動可能に保持する構成もスライドシャフト３２とそれに沿って移動する軸受け３７の構成に限られず、例えばレールを用いた構成など種々の方式を採用することが出来る。
【００４４】
また、上記実施の形態では、レンズ切換駆動部５をレンズ切換え用のホームポジションの近傍に固定させているが、このレンズ切換駆動部５をピックアップ機構３の枠体３Ｂに設置し、ピックアップ機構３とともにトラック方向に移動する構成としてもよい。それにより、対物レンズ１０Ａ，１０Ｂの切換えをピックアップ機構３の配置に拘わらず素早く実行することが出来るという効果が得られる。
【００４５】
その他、光ディスクの種類、対物レンズの個数、対物レンズの開口数や作動距離、ピックアップ機構の枠体に搭載される光学系の種類など、上記実施の形態で具体的に示した細部等は一例に過ぎず、本発明の趣旨を逸脱しない範囲で適宜変更可能であることは云うまでもない。
【００４６】
【発明の効果】
以上説明したように、本発明に従うと、対物レンズの切り換えを複数の対物レンズをスライド移動させると云った単純な構成で実現でき、且つ、ピックアップ機構をトラック方向へ移動させる構成は１つで済むため少ないスペースで実現できるという効果がある。
【００４７】
また、各対物レンズの作動距離の違いにより、作動距離の長い対物レンズを使用している際に作動距離の短い対物レンズが光ディスクに当接しかねないという問題が生じるが、位置補正用のレンズ駆動手段を駆動させて作動距離の短い対物レンズを光ディスクから遠ざけることでこの問題を回避することが出来る。
【００４８】
また、レンズ駆動手段が駆動していない状態で、各対物レンズの作動距離に対応させて作動距離の短い対物レンズを作動距離の長い対物レンズよりも光ディスクに近い位置に配置することで、各対物レンズの初期位置を最適な高さにして使用することができ、それによりレンズ駆動手段を適度な動作範囲で使用することが出来るという効果がある。
【００４９】
また、保持ベースのスライド機構を光ディスクのディスク面と平行に移動させる構成とすることで、対物レンズやレンズ駆動手段の構成や配置も単純にすることが出来るという効果がある。
【００５０】
また、ピックアップ機構に保持ベースのスライド駆動するスライド駆動手段を設けることで、対物レンズの切り換えを素早く行うことが出来るという効果がある。
【００５１】
また、ピックアップ機構と別体に保持ベースをスライド駆動するスライド駆動手段を設け、ピックアップ機構が所定位置に移動されたときにスライド駆動手段により保持ベースがスライド駆動可能となる構成にすることで、ピックアップ機構のコンパクト化を図れるという効果がある。
【図面の簡単な説明】
【図１】本発明の実施の形態の光ディスク装置における光ピックアップの駆動系の構成を示す斜視図である。
【図２】光ピックアップ機構の枠体と保持ベースとを分離させた状態を示す斜視図である。
【図３】保持ベースに保持される対物レンズの配置関係を説明する一部を断面で表わした正面図である。
【図４】ピックアップ機構が作動している状態を説明する正面図で、（ａ）は作動距離の短い対物レンズを使用している状態、（ｂ）は作動距離の長い対物レンズを使用している状態である。
【図５】保持ベースをスライド駆動する駆動機構の変形例を示す斜視図である。
【図６】従来の光ディスク装置で２個の対物レンズを切り換えて使用可能な構造を説明する図である。
【符号の説明】
２    スピンドル
３    ピックアップ機構
３Ａ  保持ベース
３Ｂ  枠体
４    スクリューシャフト
５    レンズ切換駆動部
１０Ａ，１０Ｂ    対物レンズ
１１Ａ，１１Ｂ    レンズアクチュエータ
３２  スライドシャフト
３３  ストッパー
３５  軸受け
３７  軸受け
３８  係合溝
３９  ラック部
１１１  レンズホルダ
１１１Ｂ  サブレンズホルダ
【図１】
2004318973.tif 000003
【図２】
2004318973.tif 000004
【図３】
2004318973.tif 000005
【図４】
2004318973.tif 000006
【図５】
2004318973.tif 000007
【図６】
2004318973.tif 000008